(57)【要約】【課題】ミシン機枠に複数の模様を表示した模様表示部材を用いて模様選択する模様選択装置を提供する。【解決手段】ミシン縦胴部２の操作側にスライダを備え、縦胴部上を上下に移動可能に支持した。そのスライダの上面部には第１模様表示部材を表示し、スライダの下方の機枠にはスライダが遮蔽位置のときにスライダによって遮蔽され露出位置のときに露出する位置に第２模様表示部材を表示した。さらに各模様には非共通の連番を付すことで模様入力をこの番号入力のみで行なえるようにした。【選択図】　図１
2004065608.tif 000002
【特許請求の範囲】
【請求項１】
ミシン機枠に模様の形象を複数表示した模様表示部と、
この模様表示部の側方の前記ミシン機枠に形成した案内手段と、
前記案内手段に沿って移動可能な基部と、模様表示部の上方に配置された遮蔽部とを備え、案内手段に沿って基部を移動することにより、遮蔽部が前記模様表示部を覆う遮蔽位置と前記模様表示部を露出する露出位置とに移動可能な模様遮蔽手段と、
模様表示部に表示された複数の模様から任意の選択模様を入力する入力手段と、
入力された選択模様を電気的に表示する選択模様表示手段と、
入力された選択模様を縫製する縫製手段とを備えたことを特徴とするミシンの模様選択装置。
【請求項２】
前記遮蔽位置は遮蔽部により機枠に表示された複数の模様を全部又は一部を遮蔽するものであり、前記露出位置は前記模様の全部又は遮蔽された一部を露出することを特徴とする請求項１記載のミシンの模様選択装置。
【請求項３】
前記模様表示部は、複数の模様を前記模様遮蔽手段の遮蔽部に表示した第１模様表示部材と、前記第１模様表示部と異なる複数の模様を前記模様遮蔽手段の裏面側の縦胴部に表示した第２模様表示部材とを備えたことを特徴とする請求項１又は２記載のミシンの模様選択装置。
【請求項４】
前記模様表示部の第１模様表示部材と第２模様表示部材にそれぞれ表示された模様には入力手段で入力する識別体が付され、この識別体は非共通であることを特徴とする請求項３に記載のミシンの模様選択装置。
【発明の詳細な説明】
【０００１】
【発明の属する技術分野】
本発明はミシンの模様選択装置に関する。
【０００２】
【従来の技術】
従来、ミシン機枠に複数の模様を表示した模様表示部材を用いて模様選択するものとして、例えば実開昭６３−２０２２７２がある。これは、複数の模様が表示された複数の表示カードを、ミシン機枠の操作者側に頁めくり操作によって表示切替えできるように装着されている。作業者がこのカードから所望の模様をさがして、その模様に付されているコードをミシンに入力して縫製するものである。
【０００３】
【発明が解決しようとする課題】
しかしながら、このようなカードめくりタイプのものは、めくられたカードが機枠からはみ出して作業者の妨げになったり、あるいはカードが損傷しやすいという問題点がある。
また、他の従来例として、実開昭５７−９９６７８には、ミシン機枠に複数の開口部を設けその下方で模様を表示したカードをスライドさせて各開口部に異なる模様を切替え表示するものであるが、表示された模様のコード入力手段とスライドしたカードの切替え位置を検出する検出部材とを用いるなど部品点数が多くなってしまう問題点がある。
【０００４】
この発明は上記課題を解決するものであり、複数の模様を切替え表示すると共に所望の模様入力を簡単な構成で実現することができるミシンの模様選択装置を提供することを目的とする。
【０００５】
【課題を解決するための手段】
上記目的を達成するため本発明によれば、請求項１に記載の発明は、ミシン機枠に模様の形象を複数表示した模様表示部３２と、この模様表示部の側方の前記ミシン機枠に形成した案内手段３１と、前記案内手段に沿って移動可能な基部３０ｂと、模様表示部の上方に配置された遮蔽部３０ａとを備え、案内手段に沿って基部を移動することにより、遮蔽部が前記模様表示部を覆う遮蔽位置と前記模様表示部を露出する露出位置とに移動可能な模様遮蔽手段３０と、模様表示部に表示された複数の模様から任意の選択模様を入力する入力手段４０と、入力された選択模様を電気的に表示する選択模様表示手段４５と、入力された選択模様を縫製する縫製手段とを備えたものである。
【０００６】
また、請求項２において遮蔽位置は遮蔽部により機枠に表示された複数の模様を全部又は一部を遮蔽するものであり、露出位置は前記模様の全部又は遮蔽された一部を露出するようにしたものである。
【０００７】
また、請求項３において模様表示部３２は、複数の模様を前記模様遮蔽手段の遮蔽部に表示した第１模様表示部材３３と、前記第１模様表示部と異なる複数の模様を前記模様遮蔽手段の裏面側の縦胴部に表示した第２模様表示部材３６とを備えたものである。
【０００８】
また、請求項４において模様表示部の第１模様表示部材３３と第２模様表示部材３６にそれぞれ表示された模様には入力手段で入力する識別体３４、３７が付され、この識別体は非共通としたものである。
【０００９】
【発明の実施の形態】
以下、本発明の実施の形態を説明する。
【００１０】
図１乃至図３は本発明に係るミシンの模様選択装置を具体化したミシンの実施の形態を示す。図において、１はミシン機枠であり、縦胴部２、水平アーム部３、あご部４、ベッド部５で構成されている。前記縦胴部２には模様選択手段６と縫い目長さ設定スイッチ７と縫い目幅設定スイッチ８とが配置されている。また前記水平アーム部３の上方にはボビン糸巻き部９と、上糸巻き保持部１０を備えている。
【００１１】
あご部４には下方のベッド部５方向に伸びる押さえ棒１１と針棒１２が備えられ、押え棒１１の下端には押え足１３が装着され、針棒１２の下端には縫い針１４が装着されている。また、あご部４にはスタートストップスイッチ１５、返し縫いスイッチ１６、縫い速度設定スイッチ１７、ボビン糸巻きスイッチ１８、糸調子ダイヤル１９、及び押え足１３を上下に移動する押えレバー２０が配置されている。
【００１２】
図２、図３は前記縦胴部２の作業者側に配置した模様選択手段６の拡大図である。３０は機枠１の一部を構成するスライダ（模様遮蔽手段）であり、その上面遮蔽部３０ａを前記縦胴部２の曲面と略連続する曲面形状に形成されている。スライダ３０はその左右側面の基部３０ｂ、３０ｂが、縦胴部２おいて模様選択手段６の左右側方に形成した凹状の案内手段３１、３１に合成樹脂部材の弾性により嵌め合わされるようにして係止され、スライダ３０は手動操作により案内手段３１，３１に沿って前記縦胴部２上を上下に摺動することで、移動可能となっている。図２はこのスライダ３０が上端位置にあり、図３は下端に移動したことを表わしている。スライダ３０が上端位置或いは下端位置にあるときには、それぞれ図示しない嵌合溝でスライダ３０が係止され自由移動を防止している。
【００１３】
このスライダ３０の上面には日常よく使う実用模様１０種の形象が表示された模様表示部３２として第１模様表示部材３３が表示されている。この第１模様表示部材３３の各模様には、００〜０９の模様番号（識別体）３４と、ＡＢ、Ａ、ＡＣ、Ｅの押え足１３の種別符号３５が表示されている。
【００１４】
また、スライダ３０が上端位置に移動したときに、このスライダ３０によって覆われる位置にあるときのスライダ３０の裏面側縦胴部２には、前記実用模様ほどに常用しない複数の模様からなる模様表示部３２として第２模様表示部材３６が表示されている。即ち、この第２模様表示部材３６の左右側方に配置した前記案内手段３１、３１にスライダ３０の基部３０ｂ、３０ｂが移動可能とすることで、この第２模様表示部３６は、スライダ３０を上端位置（遮蔽位置）に移動したときに、このスライダ３０によって隠れ（図２）、スライダ３０を下端（露出位置）に移動すると現れる（図３）。
【００１５】
この第２模様表示部３６の各模様には、１０〜４９の模様番号（識別体）３７が表示され、符号１０〜１９の各模様にはＡ、Ｄ、Ｅの押え足１３の種別符号３８が表示され、符号２０〜４９の模様は押え足Ａの種別符号３９が表示されている。第１模様表示部３３の各模様に付された模様番号００〜０９と前記第２模様表示部３６に表示された模様番号１０〜４９は上記のように連番となっており、少なくとも非共通で唯一の識別体が付されているという特徴点がある。
【００１６】
また前記模様選択手段６の上方には、２桁の模様数に応じて２桁のアップキー４１，４３とダウンキー４２、４３を備えた入力スイッチ４０（入力手段）と、入力された２桁の番号を表示する表示器４５（選択模様表示手段）を備えている。入力スイッチ４０はテンキーでもよい。
【００１７】
５０は返し縫いモード設定スイッチであり、縫い初めと縫い終わりに自動的に返し縫いを行なうように設定することができ、５１は返し縫いモード時に点灯する表示器である。
【００１８】
作業者は、常用模様としてジグザグ縫いを縫製するときは、模様選択手段６の第１模様表示部材３３に表示されたジグザグ模様の番号「０３」を確認して、入力スイッチ４０を操作して表示器４５の表示を「０３」に変更した後、同模様の押え足種別符号「Ａ」を確認してミシンに装着されている押え足１３を「Ａ」に交換してから、スタートスイッチ１５をオンする。
【００１９】
そうすると、制御手段によってミシンの複数の模様に対応した模様データを記憶する記憶手段からジグザグ模様データを読み出すると共に、上記縫い目長さ設定スイッチ７で設定した縫目長さと縫い目幅設定スイッチ８で設定した縫目幅を読み出して、上下動する縫い針１４と同期して図示しない送りモータ及び針振りモータを作動するとともに布送りすることにより、縫製手段が作動して入力された選択模様としてのジグザグ模様を縫製することができる。
【００２０】
上記実施例では、表示器４５の模様表示は入力した模様番号を表示するとしたが、記憶手段に予め模様の表示データを記憶しておき、この模様の形状を表示するようにしてもよい。
【００２１】
また、案内手段３１とスライダ３０を第２模様表示部材３６の左右側方に設けるとしたが、左右いずれか一方に片持ちさせてもよい。
【００２２】
また、第１模様表示部材３３がワンポイント模様、ボタン穴かがり縫いなどの実用模様であり、第２模様表示部材３６が実用模様以外の模様としたが、これを逆の配置としてもよい。
【００２３】
また、スライダ３０の上面に第１模様表示部材３３を表示したが、スライダ３０の上面には模様表示部材を設けずに全て縦胴部２に配置してもよい。この場合、スライダ３０で全模様または一部模様表示が遮蔽あるいは露出可能な位置としてもよい。あるいは第１模様表示部材３３をスライダ３０によって遮蔽されない常時露出位置に配置してもよい。さらに、スライダ３０を遮蔽位置に移動すると第１、２模様表示部材の全模様表示が遮蔽され、露出位置で全模様が露出するようにしてもよい。
【００２４】
また、第２模様表示部材３６はスライダ３０を遮蔽位置（図２）に移動すると全部が遮蔽され、露出位置（図３）に移動すると全部が露出するとしたが、図２に示す遮蔽位置に移動すると第２模様表示部材の下方の縦胴部に配置された第３模様表示部材（図示せず）が露出し、図３に示す露出位置に移動するとこの第３模様表示部材が遮蔽される構成としてもよい。
【００２５】
【効果】
以上のように本発明によれば、第１模様表示部材と第２模様表示部材には非共通の重複しない識別体が付され、入力手段はこの識別体を入力する。このようにすることで模様遮蔽手段を移動して第１模様表示部材と第２模様表示部材の表示切り替えた時の位置を検出するスイッチ等を用いないのでコストを低くすることができ、また、模様遮蔽手段を操作したときに縦胴部からはみ出す部分がないので安全であり、耐久性がある。さらに模様遮蔽手段が大きいので移動操作が楽になるといった極めて優れた効果を奏する。
【図面の簡単な説明】
【図１】本発明によるミシンの模様選択装置を備えたミシンの正面図である。
【図２】図１の模様選択部の正面図である。
【図３】図１の模様選択部の正面図である。
【符号の説明】
１・・・ミシン機枠
２・・・縦胴部
６・・・模様選択部
７・・・縫い目長さ設定スイッチ
８・・・縫い目幅設定スイッチ
１１・・・押さえ棒
１２・・・針棒
１３・・・押え足
１４・・・縫い針
１５・・・スタートストップスイッチ
３０・・・スライダ（模様遮蔽手段）
３０ａ・・・遮蔽部
３０ｂ・・・基部
３１・・・案内手段
３２・・・模様表示部
３３・・・第１模様表示部材
３４、３７・・・模様番号（識別体）
３５、３８、３９・・・押え足の種別符号
３６・・・第２模様表示部材
４０・・・入力スイッチ（入力手段）
４１，４３・・・アップキー
４２、４３・・・ダウンキー
４５・・・表示器（選択模様表示手段）
【図１】
2004065608.tif 000003
【図２】
2004065608.tif 000004
【図３】
2004065608.tif 000005